(57)【要約】【課題】現場の作業者の状況から適切な作業管理を効率的に行う。【解決手段】１以上の通信装置を有し、近距離無線通信により無線エリアを形成する通信システムであって、前記無線エリアに存在する端末又は機器に通知を送信する条件であって、前記条件は、前記通知の内容、及び前記通知を送信する端末又は機器を決定するための条件を記憶する記憶部と、前記端末と、近距離無線通信で接続し、前記端末から、前記端末の情報を受信する通信部と、受信した前記端末の情報と記憶された前記条件とから、前記通知の内容、及び前記通知を送信する端末又は機器を決定する決定部と、を有し、前記通信部は、決定された前記通知を、決定された前記端末、又は前記機器に送信する。【選択図】図１
2017033364.tif 000002
【特許請求の範囲】
【請求項１】
１以上の通信装置を有し、近距離無線通信により無線エリアを形成する通信システムであって、
前記無線エリアに存在する端末又は機器に通知を送信する条件であって、前記条件は、前記通知の内容、及び前記通知を送信する端末又は機器を決定するための条件を記憶する記憶部と、
前記端末と、近距離無線通信で接続し、前記端末から、前記端末の情報を受信する通信部と、
受信した前記端末の情報と記憶された前記条件とから、前記通知の内容、及び前記通知を送信する端末又は機器を決定する決定部と、を有し、
前記通信部は、決定された前記通知を、決定された前記端末又は前記機器に送信する通信システム。
【請求項２】
前記決定部は、前記無線エリアに存在する前記端末の数を基に、前記通知の内容を決定し、
前記通信部は、前記端末に、前記無線エリアで作業を実施してよい旨の通知を送信する請求項１に記載の通信システム。
【請求項３】
前記決定部は、前記無線エリアに存在する前記端末の数を基に、前記通知の内容を決定し、
前記通信部は、前記端末に、前記無線エリアで作業を実施できない旨の通知を送信する請求項１に記載の通信システム。
【請求項４】
前記決定部は、受信した前記端末の情報の少なくとも１つに、前記無線エリアに存在する機器を使用することが可能である旨が含まれる場合、前記機器を使用することが可能であると決定し、
前記通信部は、前記機器に、前記機器を起動するための通知を送信する請求項１に記載の通信システム。
【請求項５】
前記通信部は、前記端末に、前記機器を使用することが可能である旨の通知を送信する請求項４に記載の通信システム。
【請求項６】
前記決定部が、受信した前記端末の情報から、前記無線エリアに存在する機器を使用することが可能である端末が存在しないと判断した場合、前記通信部は、前記機器に、前記機器を停止するための通知を送信する請求項１に記載の通信システム。
【請求項７】
前記通信部は、前記端末に、前記機器を使用不能である旨の通知を送信する請求項６に記載の通信システム。
【請求項８】
前記決定部は、前記通信部が前記端末から、前記端末の情報を受信した場合、又は、前記通信部が前記端末を検知できなくなった場合に、前記条件を満たすか否かを判断する請求項１乃至７のいずれか一項に記載の通信システム。
【請求項９】
複数の通信装置と、情報処理装置とを有する作業管理システムであって、
前記複数の通信装置のそれぞれは、近距離無線通信により無線エリアを形成する通信装置であって、
前記無線エリアに存在する端末と、近距離無線通信で接続し、前記端末から、前記端末の情報を受信し、受信した前記端末の情報を前記情報処理装置に送信する第１の通信部、を有し、
前記情報処理装置は、
前記複数の通信装置のそれぞれが形成する前記無線エリアに存在する端末又は機器に通知を送信する条件であって、前記条件は、前記通知の内容、及び前記通知を送信する端末又は機器を決定するための条件を記憶する記憶部と、
前記複数の通信装置のそれぞれから前記端末の情報を受信する第２の通信部と、
受信した前記端末の情報と記憶された前記条件とから、前記無線エリアのそれぞれにおいて、前記通知の内容、及び前記通知を送信する端末又は機器を決定する決定部と、を有し、
前記第２の通信部は、決定された前記通知を、決定された前記端末又は前記機器に、前記第１の通信部を介して送信する作業管理システム。
【請求項１０】
前記第２の通信部は、第１の無線エリアを形成する第１の通信装置と、前記第１の無線エリアとは異なる第２の無線エリアを形成する第２の通信装置とから、前記第１の無線エリア及び前記第２の無線エリアに存在する端末の情報を受信し、
前記第１の無線エリアに存在する端末の前記端末の情報に、前記第２の無線エリアに存在する機器を使用することが可能である旨が含まれている場合、前記決定部は、前記機器を使用することが可能である旨の通知の内容を決定する請求項９に記載の作業管理システム。
【請求項１１】
近距離無線通信により無線エリアを形成する端末であって、
前記無線エリアに存在する端末又は機器に通知を送信する条件であって、前記条件は、前記通知の内容、及び前記通知を送信する端末又は機器を決定するための条件を記憶する記憶部と、
当該端末以外の他の端末と、近距離無線通信で接続し、前記他の端末から、前記他の端末の情報を受信する通信部と、
受信した前記他の端末の情報及び当該端末の情報と記憶された前記条件とから、前記通知の内容、及び前記通知を送信する端末又は機器を決定する決定部と、を有し、
前記通信部は、決定された前記通知を、決定された前記端末又は前記機器に送信する端末。
【請求項１２】
近距離無線通信により無線エリアを形成する通信装置に実行させるためのプログラムであって、
前記無線エリアに存在する端末又は機器に通知を送信する条件であって、前記条件は、前記通知の内容、及び前記通知を送信する端末又は機器を決定するための条件を記憶するステップと、
前記端末と、近距離無線通信で接続し、前記端末から、前記端末の情報を受信するステップと、
受信した前記端末の情報と記憶された前記条件とから、前記通知の内容、及び前記通知を送信する端末、又は機器を決定するステップと、
決定された前記通知を、決定された前記端末又は前記機器に送信するステップと、を前記通信装置に実行させるプログラム。
【発明の詳細な説明】
【技術分野】
【０００１】
本発明は、通信装置、作業管理システム、端末、及びプログラムに関する。
【背景技術】
【０００２】
建設現場等の作業現場において、携帯電話、及びＧＰＳ等を用いて安全管理を行うことが行われている。
【０００３】
例えば、現場監督がＰＤＡ（Ｐｅｒｓｏｎａｌ  Ｄａｔａ  Ａｓｓｉｓｔａｎｃｅ）等の情報処理端末を用いて、作業現場と、作業現場を管理する本部との間で安全管理に係る各種情報を共有する作業管理システム等が提案されている（例えば、特許文献１）。
【発明の概要】
【発明が解決しようとする課題】
【０００４】
しかし、上述したシステム等では、現場監督が、情報処理端末に現場の状況を入力し、かかる状況に基づいて、本部が、現場監督に指示を送信する。このため、現場の状況の入力、及び本部における指示の作成の作業が煩雑であるという問題があった。
【０００５】
本発明は、上記の課題を鑑みてされたものであり、現場の作業者の状況から適切な作業管理を効率的に行うことを目的とする。
【課題を解決するための手段】
【０００６】
本実施形態に係る通信システムは、１以上の通信装置を含み、近距離無線通信により無線エリアを形成する通信システムであって、前記無線エリアに存在する端末又は機器に通知を送信する条件であって、前記条件は、前記通知の内容、及び前記通知を送信する端末又は機器を決定するための条件を記憶する記憶部と、前記端末と、近距離無線通信で接続し、前記端末から、前記端末の情報を受信する通信部と、受信した前記端末の情報と記憶された前記条件とから、前記通知の内容、及び前記通知を送信する端末又は機器を決定する決定部と、を有し、前記通信部は、決定された前記通知を、決定された前記端末、又は前記機器に送信する。
【発明の効果】
【０００７】
本実施形態によれば、現場の作業者の状況から適切な作業管理を効率的に行う通信装置、作業管理システム、端末、及びプログラムを提供することができる。
【図面の簡単な説明】
【０００８】
【図１】第１実施形態に係る作業管理システムの全体構成の一例を示す図である。
【図２】第１実施形態に係る作業管理システムの機能構成の一例を示す図である。
【図３】第１実施形態に係る操作端末から通信システムに入力される条件の一例を示す図である。
【図４】第１実施形態に係る通信システムの記憶部が記憶するスマートデバイスの情報を示す図である。
【図５】第１実施形態に係る作業管理システムの動作シーケンスを示す図である。
【図６】第１実施形態に係る通信システムの動作フローを示す図である。
【図７】第１実施形態に係る操作端末に表示される表示の一例を示す図である。
【図８】第１実施形態に係るスマートデバイスの入出力部に、表示される表示の一例を示す図である。
【図９】第１実施形態に係る通信システムのハードウェア構成の一例を示す図である。
【図１０】第１実施形態に係るスマートデバイスのハードウェア構成の一例を示す図である。
【図１１】第２実施形態に係る作業管理システムの全体構成の一例を示す図である。
【図１２】第２実施形態に係る通信装置、及びサーバの機能構成の一例を示す図である。
【図１３】第２実施形態に係る操作端末に表示される表示の一例を示す図である。
【図１４】第２実施形態に係る通信システムの記憶部が記憶するスマートデバイスの情報を示す図である。
【図１５】第２実施形態に係る作業管理システムの動作シーケンスを示す図である。
【図１６】第３実施形態に係る作業管理システムの全体構成の一例を示す図である。
【図１７】第３実施形態に係るマスタースマートデバイスの機能構成の一例を示す図である。
【図１８】第４実施形態に係る作業管理システムの全体構成の一例を示す図である。
【図１９】第４実施形態に係るサーバで記憶するスマートデバイスの情報の一例を示す図である。
【図２０】第４実施形態に係る動作フロー（その１）を示す図である。
【図２１】第４実施形態に係る動作フロー（その２）を示す図である。
【発明を実施するための形態】
【０００９】
［第１実施形態］
＜機能構成＞
図１乃至図４を用いて第１実施形態に係る作業管理システム１の機能構成について説明する。
【００１０】
（１）全体構成
図１は、本実施形態に係る作業管理システム１の全体構成の一例を示す図である。作業管理システム１は、通信システム１０と、スマートデバイス２０と、機器３０と、操作端末５とを有する。
【００１１】
通信システム１０は、１以上の通信装置を有する。通信システム１０は、作業現場に配備される。通信システム１０は、近距離無線通信を用いて、無線エリア５０を形成する。近距離無線通信とは、例えば、ＢＬＥ（Ｂｌｕｅｔｏｏｔｈ  Ｌｏｗ  Ｅｎｅｒｇｙ）、又はＢｌｕｅｔｏｏｔｈ（登録商標）等である。通信システム１０は、無線エリア５０が作業現場をカバーするように、近距離無線通信の信号の送信電力を調整する。
【００１２】
通信システム１０は、無線エリア５０に存在するスマートデバイス２０に、通信システム１０に接続するための情報を送信する。接続するための情報とは、例えば、通信システム１０の識別子であるＳＳＩＤ、及びパスワード等である。
【００１３】
接続するための情報を取得したスマートデバイス２０は、かかる情報を用いて通信システム１０に接続する。例えば、スマートデバイス２０は、ＷＬＡＮを用いて通信システム１０に接続する。
【００１４】
スマートデバイス２０は、現場の作業者が使用する端末である。原則として、作業者は、作業者と対応付けられた１台のスマートデバイス２０を携帯する。
【００１５】
スマートデバイス２０は、通信システム１０に、スマートデバイス２０の情報を通知する。スマートデバイス２０の情報とは、例えば、スマートデバイス２０の識別子、及び資格情報等である。ここで、資格情報とは、作業現場に配備されている機器３０を操作する権限の有無を示す情報である。
【００１６】
スマートデバイス２０は、例えば、スマートフォン、タブレット、及びノートＰＣ等である。スマートデバイス２０は、上述した動作を実現できればよい。スマートデバイス２０の端末の種別に特に限定はない。
【００１７】
機器３０は、作業現場に配備されている重機等の機器である。機器３０は、通信システム１０から機器３０の起動、及び停止に関する通知を受信し、かかる通知に応じて、機器３０の起動、及び停止を行う。
【００１８】
操作端末５は、通信システム１０に、条件の入力を行う。操作端末５は、通信システム１０に条件の入力を行う権限を有する作業者が操作する端末である。操作端末５の端末の種別に特に限定はない。操作端末５は、条件の入力を行う権限を有する作業者のスマートデバイス２０でもよい。
【００１９】
通信システム１０は、かかる条件と、スマートデバイス２０から取得した情報とから、通知の内容と、かかる通知を送信する機器３０又はスマートデバイス２０を決定する。
【００２０】
条件は、作業現場に存在する作業者の数、機器３０を操作する資格を有する作業者の有無等に関するものである。
【００２１】
（２）通信システムの機能構成
図２を用いて通信システム１０の機能構成を説明する。通信システム１０は、１以上の通信装置を有し、近距離無線通信により無線エリア５０を形成する。
【００２２】
通信システム１０は、近距離無線通信部１００、通信部１１０、記憶部１２０、判断部１３０、入出力部１４０、及び制御部１５０を有する。
【００２３】
記憶部１２０は、無線エリア５０に存在するスマートデバイス２０又は機器３０に通知を送信する条件を記憶する。かかる条件は、通知の内容、及び通知を送信する無線エリア５０内のスマートデバイス２０又は機器３０を決定するための条件である。
【００２４】
通信システム１０は、無線エリア５０内のスマートデバイス２０と通信を行う。近距離無線通信部１００は、スマートデバイス２０と近距離無線通信で接続する。
【００２５】
近距離無線通信部１００は、通信システム１０との接続に必要な情報を、スマートデバイス２０に、近距離無線通信で送信する。かかる接続に必要な情報は、無線エリア５０に存在するスマートデバイス２０に受信される。
【００２６】
通信部１１０は、無線エリア５０に存在するスマートデバイス２０から、スマートデバイス２０の情報を受信する。スマートデバイス２０の情報は、スマートデバイス２０の識別子と、スマートデバイス２０の資格情報とを含む。なお、スマートデバイス２０の資格情報は、スマートデバイス２０を使用する作業者と対応付けられてもよい。
【００２７】
通信部１１０と、スマートデバイス２０とはＷＬＡＮを用いて通信する。なお、スマートデバイス２０は、当該スマートデバイス２０の情報を近距離無線通信で送信し、通信システム１０の近距離無線通信部１００は、かかる情報を受信してもよい。
【００２８】
判断部１３０は、受信したスマートデバイス２０の情報と記憶された条件とから、通知の内容、及び通知を送信するスマートデバイス２０又は機器３０を決定する。
【００２９】
通信部１１０は、決定された通知を、通知の送信先に決定されたスマートデバイス２０又は機器に送信する。
【００３０】
ここで、判断部１３０は、決定部の一例である。
【００３１】
記憶部１２０は、受信したスマートデバイス２０の情報を記憶してもよい。
【００３２】
判断部１３０は、無線エリア５０に存在するスマートデバイス２０の数を基に、判断をしてもよい。
【００３３】
例えば、スマートデバイス２０の数を基に、判断部１３０は、無線エリア５０で作業を実施してよいと決定し、その旨の通知と、通知の送信先である無線エリア５０に存在するスマートデバイス２０とを決定する。通信部１１０は、無線エリア５０に存在するスマートデバイス２０に、かかる通知を送信する。
【００３４】
ここで、スマートデバイス２０の数と作業者の数は１対１に対応しているものとする。
【００３５】
作業現場の広さによっては、作業者の数を所定の範囲内にする必要がある。例えば、重量制限がある作業現場では、第１の所定の人数以下で作業する必要がある。又、注意が必要な作業現場では、最低でも第２の所定の人数以上で作業する必要がある。
【００３６】
スマートデバイス２０の数が作業可能な人数の範囲内である場合に、判断部１３０は、作業を実施してよい旨の通知を送信することを決定してもよい。
【００３７】
また、スマートデバイス２０の数が作業可能な人数の範囲外である場合に、判断部１３０は、無線エリア５０で作業を実施できないと決定し、その旨の通知と、通知の送信先である無線エリア５０に存在するスマートデバイス２０を決定する。通信部１１０は、無線エリア５０に存在するスマートデバイス２０に、かかる通知を送信する。
【００３８】
判断部１３０は、受信したスマートデバイス２０の情報の少なくとも１つに、無線エリア５０に存在する機器３０を使用することが可能である旨を含む場合、かかる機器を使用することが可能であると決定する。
【００３９】
通信部１１０は、無線エリア５０に存在する機器３０に、機器３０を起動するための通知を送信する。
【００４０】
この場合、通信部１１０は、無線エリア５０に存在するスマートデバイス２０に、機器３０を使用することが可能である旨の通知を送信してもよい。
【００４１】
なお、所定の数以上のスマートデバイス２０の情報に、機器３０を使用することが可能である旨が含まれている場合、判断部１３０は、機器３０を使用することが可能であると決定してもよい。
【００４２】
また、受信したスマートデバイス２０の情報のいずれにも、無線エリア５０に存在する機器３０を使用することが可能である旨が含まれない場合、判断部１３０は、機器３０を使用不能であると決定する。
【００４３】
判断部１３０は、機器３０を使用することが可能である旨のスマートデバイス２０の情報を有するスマートデバイス２０が、無線エリア５０に存在しないと判断する。通信部１１０は、無線エリア５０に存在する機器３０に、機器３０を停止するための通知を送信する。例えば、機器３０を使用することが可能な作業者が無線エリア５０内に存在しないにも関わらず、機器３０が動作している場合には、通信システム１０は、機器３０を停止するための通知を送信する。
【００４４】
この場合、通信部１１０は、無線エリア５０に存在するスマートデバイス２０に、機器３０を使用不能である旨の通知を送信する。
【００４５】
判断部１３０は、スマートデバイス２０の情報から、機器３０を使用することが可能であるスマートデバイス２０の数を特定する。判断部１３０は、特定されたスマートデバイス２０の数が所定の数以下の場合に、機器３０を使用不能であると決定してもよい。
【００４６】
例えば、機器３０が重機の場合、機器３０を起動するための通知の受信に応じて、機器３０は、エンジンを起動し機器３０を使用できる状況としてもよい。また、機器３０を停止するための通知の受信に応じて、機器３０は、エンジンを停止し機器３０を使用できない状況としてもよい。
【００４７】
例えば、機器３０が現場での作業可否を示す信号機の場合、機器３０を起動するための通知の受信に応じて、機器３０は、信号を作業できる状態を示す「青」にしてもよい。また、機器３０を停止するための通知の受信に応じて、機器３０は、作業できない状態を示す「赤」の信号にしてもよい。
【００４８】
記憶部１２０は、近距離無線通信部１００がスマートデバイス２０のそれぞれを検知した時刻と、検知できなくなった時刻とを記憶してもよい。
【００４９】
また、判断部１３０は、スマートデバイス２０を検知した場合、又は、スマートデバイス２０を検知できなくなった場合に、条件を満たすか否かの判断を行ってもよい。
【００５０】
なお、記憶部１２０は、通信部１１０が無線エリア５０に存在するスマートデバイス２０から、かかるスマートデバイス２０の情報を受信した時刻を記憶してもよい。また、判断部１３０は、スマートデバイス２０の情報を受信した場合に、条件を満たすか否かの判断を行ってもよい。
【００５１】
これにより、通信システム１０は、無線エリア５０に存在するスマートデバイス２０の状況に応じて、タイムリーに通知の内容と、通知の送信先のスマートデバイス２０又は機器３０とを決定することができる。
【００５２】
通信システム１０と、スマートデバイス２０と、機器３０とは、無線ネットワーク４０を介して接続される。スマートデバイス２０、及び機器３０等とＢＬＥ等の近距離無線で通信する場合に、近距離無線通信部１００が使用される。スマートデバイス２０、及び機器３０等とＷＬＡＮ、携帯電話回線で通信する場合に、通信部１１０が使用される。
【００５３】
通信システム１０は、操作端末５から条件の入力を受け付ける。受け付けた条件は、記憶部１２０に記憶される。
【００５４】
入出力部１４０は、通信システム１０に関するユーザからの各種設定の指示を受け付ける。入出力部１４０は、通信システム１０に関する各種表示を出力する。
【００５５】
制御部１５０は、通信システム１０の各機能に対する制御を行う。
【００５６】
ここで、近距離無線通信部１００は、通信部の一例である。通信部１１０は、通信部の一例である。
【００５７】
また、判断部１３０が条件を満たすかを判断することは、判断部１３０が、記憶部１２０で記憶されている条件と、受信したスマートデバイス２０の情報とから、通知の内容と、通知の宛先のスマートデバイス２０又は機器３０とを決定することを意味する。
【００５８】
（３）記憶部で記憶する情報
図３及び図４を用いて記憶部１２０が記憶する情報について説明する。
【００５９】
図３は、操作端末５から通信システム１０に入力される条件の一例を示す図である。入力された条件は、記憶部１２０に記憶される。
【００６０】
条件は、無線エリア５０の識別子と、無線エリア５０の作業条件と、機器３０の使用条件とを含む。
【００６１】
無線エリア５０の識別子は、通信システム１０の近距離無線通信部１００により形成される無線エリア５０を一意に特定する情報である。
【００６２】
無線エリア５０の作業条件は、人数、時間帯、及び作業可否に関する情報が設定される。人数は、無線エリア５０にカバーされる作業現場で作業可能な人数の下限値、上限値、又は範囲が設定される。図３の例では、３人以上、１０人以下の範囲が設定されている。
【００６３】
時間帯は、無線エリア５０にカバーされる作業現場の作業可能な時間帯が設定される。時間帯に加えて、作業可能な日、作業可能な曜日等の情報が設定されてもよい。
【００６４】
作業可否は、現在作業をできるか、否かの情報が設定される。例えば、一時的に作業できない場合には、「否」が設定される。
【００６５】
機器３０の使用条件は、無線エリア５０に存在する機器３０毎に、使用条件が設定される。資格者の条件には、機器３０を使用するのに必要な資格と、かかる資格を有する作業者の人数とが設定される。
【００６６】
機器３０の使用可否は、機器３０を現在使用できるか、否かの情報が設定される。例えば、機器３０の故障等により一時的に使用できない場合、「否」が設定される。
【００６７】
図４は、通信システム１０の記憶部１２０が記憶するスマートデバイス２０の情報を示す図である。
【００６８】
かかる情報には、スマートデバイス２０の識別子と、資格情報とを含む。
【００６９】
スマートデバイス２０の識別子は、作業管理システム１内でスマートデバイス２０を一意に特定する情報である。
【００７０】
また、記憶部１２０は、スマートデバイス２０が無線エリア５０に入った時刻と、スマートデバイス２０が無線エリア５０から出た時刻とを記憶する。
【００７１】
無線エリア５０に入った時刻には、通信部１１０からスマートデバイス２０の情報を受信した時刻が記憶されてもよい。又は、近距離無線通信部１００がスマートデバイス２０を検知した時刻が記憶されてもよい。
【００７２】
無線エリア５０から出た時刻には、近距離無線通信部１００がスマートデバイス２０を検知できなくなった時刻が記憶されてもよい。時刻が記録されてない場合は、スマートデバイス２０が、無線エリア５０に存在することを示している。
【００７３】
図４の例では、スマートデバイス２０の識別子が「ＡＡＡＡ」、「ＢＢＢＢ」、及び「ＣＣＣＣ」のスマートデバイス２０が無線エリア５０に存在することを示している。
【００７４】
（４）スマートデバイスの機能構成
図２を用いて、スマートデバイス２０の機能構成について説明する。
【００７５】
スマートデバイス２０は、近距離無線通信部２００、通信部２１０、入出力部２２０、及び制御部２３０を有する。
【００７６】
近距離無線通信部２００は、通信システム１０と、近距離無線通信で通信する。近距離無線通信部２００は、近距離無線通信で、通信システム１０との接続に必要な情報を受信する。
【００７７】
通信システム１０との接続に必要な情報を用いて、通信部２１０は、通信システム１０と接続する。接続後、通信部２１０は、スマートデバイス２０の情報を通信システム１０に送信する。通信部２１０は、ＷＬＡＮ、又は携帯電話回線等を用いて、かかる情報を送信する。
【００７８】
通信部２１０は、通信システム１０から通知を受信する。
【００７９】
なお、近距離無線通信部２００は、スマートデバイス２０の情報を、近距離無線通信で、送信してもよい。
【００８０】
入出力部２２０は、受信した通知の内容を表示し、スマートデバイス２０を使用する作業者に通知された情報を認識させる。
【００８１】
入出力部２２０は、スマートデバイス２０を使用する作業者からの入力を受け付ける。また、入出力部２２０は、スマートデバイス２０の情報等を表示する。
【００８２】
制御部２３０は、スマートデバイス２０の各機能を制御する。
【００８３】
ここで、スマートデバイス２０は、端末の一例である。
【００８４】
（５）機器の機能構成
図２を用いて、機器３０の機能構成について説明する。
【００８５】
機器３０は、通信部３００、入出力部３１０、及び制御部３２０を有する。
【００８６】
通信部３００は、通信システム１０と通信する。通信部３００は、ＷＬＡＮ、又は携帯電話回線等を用いて通信システム１０と通信する。
【００８７】
通信部３００は、通信システム１０が送信した通知を、受信する。
【００８８】
かかる通知を受信すると、制御部３２０は、通知の内容に従って動作する。通知の内容が、機器３０を起動するための通知の場合、制御部３２０は、機器３０を動作させる。
【００８９】
通知の内容が、機器３０を停止するための通知の場合、制御部３２０は、機器３０を停止させる。
【００９０】
なお、機器３０が近距離無線通信の機能を具備する場合、機器３０は、近距離無線通信を用いて通信システム１０と通信してもよい。
【００９１】
入出力部３１０は、機器３０を使用する作業者からの入力を受け付ける。また、入出力部３１０は、機器３０の情報等を表示する。
【００９２】
＜動作手順＞
図５及び図６を用いて、本実施形態に係る作業管理システム１の動作手順について説明する。
【００９３】
（１）動作シーケンス
図５は、本実施形態に係る作業管理システム１の動作シーケンスを示す図である。
【００９４】
図５は、通信システム１０の近距離無線通信部１００が形成する無線エリア５０に１以上のスマートデバイス２０と、機器３０とが存在する場合の動作シーケンスである。
【００９５】
ステップＳ５０１で、操作端末５は、通信システム１０に条件を入力する。
【００９６】
ステップＳ５０２で、通信システム１０の記憶部１２０は入力された条件を記憶する。
【００９７】
ステップＳ５０３で、通信システム１０の近距離無線通信部１００は、スマートデバイス２０と接続を確立する。ここで、「接続を確立する」とは、スマートデバイス２０が通信システム１０からの近距離無線通信の信号を検知できることでもよい。
【００９８】
ステップＳ５０４で、通信システム１０の近距離無線通信部１００は、スマートデバイス２０が通信システム１０と接続するための情報を通知する。図５の例では、スマートデバイス２０はＷＬＡＮを用いて、通信システム１０に接続することを想定している。この場合、接続するための情報は、通信システム１０のＳＳＩＤ、及びパスワードである。
【００９９】
ステップＳ５０５で、スマートデバイス２０は、受信した接続するための情報を用いて、スマートデバイス２０の情報を、通信システム１０に通知する。スマートデバイス２０の情報は、スマートデバイス２０の識別子と資格情報とを含む。
【０１００】
ステップＳ５０３乃至ステップＳ５０５の手順は、無線エリア５０内に存在する全スマートデバイス２０と通信システム１０との間で実行される。
【０１０１】
ステップＳ５０６で、通信システム１０の通信部１１０は、記憶部１２０に受信した情報を通知する。
【０１０２】
ステップＳ５０７で、記憶部１２０は、通知されたスマートデバイス２０の情報を記憶する。
【０１０３】
ステップＳ５０８で、通信部１１０は、判断部１３０に、スマートデバイス２０が無線エリア５０に入ったことを通知する。なお、記憶部１２０が、かかる通知を行ってもよい。
【０１０４】
ステップＳ５０９で、判断部１３０は、記憶部１２０に、記憶されている条件及び無線エリア５０内のスマートデバイス２０の情報の取得の要求を送信する。
【０１０５】
ステップＳ５１０で、判断部１３０は、スマートデバイス２０の情報及び条件を取得する。判断部１３０は、取得した情報に基づいて、条件を満たすか否かを判断する。判断部１３０は、判断の結果に従って、通知の内容と、通知を送信するスマートデバイス２０又は機器３０を決定する。具体的には、判断部１３０は、無線エリア５０の作業条件と、機器３０の使用条件とを満たすか否かを判断する。
【０１０６】
ここでは、記憶部１２０に、図３の条件と、図４のスマートデバイス２０の情報とが記憶されている場合を例に説明する。判断を行う時刻は「２０１５年７月７日  １０時３０分」とする。
【０１０７】
判断部１３０は、スマートデバイス２０の情報から無線エリア５０に存在するスマートデバイス２０の数を３であると特定し、３名の作業者が無線エリア５０に存在すると判断する。判断部１３０は、３名の作業者が無線エリア５０に存在し、時刻が１０時３０分であることから、無線エリア５０の作業条件を満たすと判断する。
【０１０８】
また、判断部１３０は、スマートデバイス２０の情報から、無線エリア５０に、資格＃Ａを有する作業者が１名、資格＃Ｂを有する作業者が１名存在することを確認する。
【０１０９】
機器３０の使用条件には、「Ａ０００１」を使用するためには、資格＃Ａの保有者が１名必要であり、「Ａ０００２」を使用するためには、資格＃Ｂの保有者が２名必要であることが設定されている。
【０１１０】
判断部１３０は、「Ａ０００１」の使用を可能と判断し、「Ａ０００２」の使用を不可と判断する。
【０１１１】
なお、無線エリア５０の作業条件の判断で、作業可能と判断された場合に、判断部１３０は、機器３０の使用条件を満たすか否かを判断してもよい。
【０１１２】
ステップＳ５１１で、判断部１３０は、通信部１１０に、機器３０を起動するための通知を送信することを指示する。通信部１１０は、かかる指示に基づいて、機器３０に通知を送信する。具体的には、通信部１１０は、使用可能と判断された機器３０（「Ａ０００１」）を起動させるための通知を送信する。
【０１１３】
かかる通知を受信した機器３０（「Ａ０００１」）は、機器３０を起動させる。
【０１１４】
ステップ５１２で、判断部１３０は、通信部１１０に、スマートデバイス２０に通知を送信することを指示する。通信部１１０は、かかる通知を無線エリア５０内のスマートデバイス２０に送信する。
【０１１５】
かかる通知は、無線エリア５０内で作業可能である旨と、機器３０（「Ａ０００１」）を使用することが可能である旨を含む。
【０１１６】
通信システム１０は、定期的にステップＳ５１３乃至ステップＳ５１５の手順を実行する。
【０１１７】
ステップＳ５１３で、通信システム１０の近距離無線通信部１００は、スマートデバイス２０が無線エリア５０に存在するか定期的に確認する。例えば、近距離無線通信部１００は、スマートデバイス２０の応答を促すＢＬＥ信号を送信し、応答を確認できたスマートデバイス２０が無線エリア５０に存在すると判断してもよい。
【０１１８】
ステップＳ５１４で、近距離無線通信部１００は、無線エリア５０に存在するスマートデバイス２０の状態が変更されたことを検知する。近距離無線通信部１００は、記憶部１２０に状態の変更を通知する。記憶部１２０は、記憶しているスマートデバイス２０の情報を通知された内容に従って変更する。
【０１１９】
ステップＳ５１５で、近距離無線通信部１００は、判断部１３０にスマートデバイス２０の状態の変更を通知する。かかる通知を受けて、判断部１３０は条件を満たすか否かを判断してもよい。
【０１２０】
例えば、状態の変更により、資格＃Ｂの保有者が２名に変更された場合、判断部１３０は、「Ａ０００２」の使用を可能と判断し、通信部１１０に、機器３０（「Ａ０００２」）を起動させるための通知を送信することを指示してもよい。
【０１２１】
また、例えば、状態の変更により、無線エリア５０に存在するスマートデバイス２０が１０台より多くなった場合、判断部１３０は、無線エリア５０内のスマートデバイス２０に通知を送信することを通信部１１０に指示する。通信部１１０は、かかる指示に従って通知を送信する。かかる通知には、作業可能な人数を上回っているため無線エリア５０に対応する現場で作業ができない旨が含まれる。
【０１２２】
（２）動作フロー
図６は、本実施形態に係る通信システム１０の動作フローを示すフローチャートである。
【０１２３】
ステップＳ６０１で、判断部１３０は、無線エリア５０の作業条件を満たすか否かを判断する。具体的には、判断部１３０は、無線エリア５０に存在するスマートデバイス２０の数が設定されている範囲内か否か、判断の時刻が作業できる時間帯に含まれるか否か、作業可否の項目が、作業可に設定されているかを判断する。
【０１２４】
これらの条件を満たす場合（ステップＳ６０１  ＹＥＳ）、ステップＳ６０３に進む。これらの条件を満たさない場合（ステップＳ６０２  ＮＯ）、ステップＳ６０２に進む。
【０１２５】
ステップＳ６０２で、通信部１１０は、無線エリア５０内のスマートデバイス２０に、無線エリア５０で作業できない旨の通知を送信する。
【０１２６】
ステップＳ６０３で、判断部１３０は、無線エリア５０内の機器３０の使用条件を満たすか否かを判断する。具体的には、判断部１３０は、機器３０を使用するのに必要な資格を有する作業者が所定の人数以上、無線エリア５０内に存在するか否かを判断する。
【０１２７】
条件を満たす場合（ステップＳ６０３  ＹＥＳ）、ステップＳ６０５に進む。一方、条件を満たさない場合（ステップＳ６０３  ＮＯ）、ステップＳ６０４に進む。
【０１２８】
ステップＳ６０４で、通信部１１０は、無線エリア５０内のスマートデバイス２０に、機器３０を使用できない旨の通知を送信する。なお、かかる通知に、無線エリア５０内で作業をできる旨を含んでもよい。
【０１２９】
ステップＳ６０５で、通信部１１０は、機器３０に、機器３０を起動させるための通知を送信する。通信部１１０は、無線エリア５０内のスマートデバイス２０に、無線エリア５０内で作業できる旨、及び機器３０を使用することが可能である旨を通知してもよい。
【０１３０】
＜表示＞
図７及び図８を用いて、本実施形態にかかる作業者等への表示について説明する。
【０１３１】
図７は、条件が設定されるときに、操作端末５に表示される表示の一例を示す図である。
【０１３２】
条件が設定されるときには、対象となる無線エリア５０の識別子、無線エリア５０の作業条件、及び機器３０の使用条件等が、操作端末５に表示される。
【０１３３】
操作端末５の操作者は、無線エリア５０の作業条件に、「作業人数」の範囲、作業可能な「時間帯」、及び「作業可否」を設定できる。
【０１３４】
操作端末５の操作者は、機器３０の使用条件に、「必要な資格と資格を有する作業者の人数」、及び機器３０の「使用可否」を設定できる。
【０１３５】
図８は、通信システム１０から通知を受けたときに、作業者のスマートデバイス２０の入出力部２２０に表示される表示の一例を示す図である。
【０１３６】
無線エリア５０の作業条件を満たす場合、図８の（１）のメッセージが表示される。無線エリア５０の作業条件を満たさない場合、例えば、人数の条件を満たさない場合、図８の（２）又は（３）のメッセージが表示される。
【０１３７】
無線エリア５０に存在する機器３０が使用可能な場合は、図８の（４）のメッセージが表示される。新たに無線エリア５０に入った作業者により、機器３０を使用することが可能になった場合、図８の（５）のメッセージが表示される。無線エリア５０から作業者が離れたことにより、機器３０を使用不能になった場合、図８の（６）のメッセージが表示される。
【０１３８】
＜ハードウェア構成＞
（１）通信システム
図９を用いて、本実施形態に係る通信システム１０のハードウェア構成について説明する。図９は、本実施形態に係る通信システム１０のハードウェア構成の一例を示す図である。
【０１３９】
通信システム１０は、通信部１６０、ＷＬＡＮ通信部１６１、近距離無線通信部１６２、ＧＰＳ通信部１６３、ディスプレイ１７０、入力装置１７１、ＣＰＵ１８０、ＲＯＭ１８１、ＲＡＭ１８２、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）１８３、メディアドライブ１８４、記録メディア１８５、及び電池１９０、を有する。通信システム１０の各ハードウェアは、バスＢを介して相互に接続される。
【０１４０】
通信部１６０は、３Ｇ、及びＬＴＥ等の携帯電話の通信規格に準拠し、最寄りの携帯電話の基地局と通信する。
【０１４１】
ＷＬＡＮ通信部１６１は、ＩＥＥＥで規定されるＷＬＡＮの規格に準拠し、最寄りのＷＬＡＮ  ＡＰ、及びＷＬＡＮで通信可能な機器３０と通信する。
【０１４２】
近距離無線通信部１６２は、Ｂｌｕｅｔｏｏｔｈ、及びＢＬＥ（Ｂｌｕｅｔｏｏｔｈ  Ｌｏｗ  Ｅｎｅｒｇｙ）等の近距離無線通信の規格に準拠し、Ｂｌｕｅｔｏｏｔｈ等で通信可能な機器と通信する。
【０１４３】
ＧＰＳ通信部１６３は、ＧＰＳ衛星から信号を受信する。ＧＰＳ通信部１６３とＣＰＵ１８０は、受信した信号を基に、通信システム１０の位置を特定する。
【０１４４】
ディスプレイ１７０は、画像、文書及び各種アイコン等を表示する液晶、又は有機ＥＬ等である。
【０１４５】
入力装置１７１は、キーボード、及びマウス等により実現され、作業者からの各種入力を受け付ける。入力装置１７１は、タッチパネルにより実現されてもよい。
【０１４６】
ＣＰＵ１８０は、通信システム１０全体を制御する。ＲＯＭ１８１は、基本入出力プログラムを記憶している。ＲＡＭ１８２は、ＣＰＵ１８０のワークエリアとして使用される。ＥＥＰＲＯＭ１８３は、ＣＰＵ１８０の制御に従ってデータの読出し又は書込みを行う。
【０１４７】
メディアドライブ１８４は、フラッシュメモリ等の記録メディア１８５に対するデータの読出し又は書込みを制御する。メディアドライブ１８４は、記録メディア１８５を着脱可能な構成となっている。
【０１４８】
通信システム１０の各機能は、ＣＰＵ１８０がＲＯＭ１８１に記憶されたプログラムを用いて、図９に示す各ハードウェアを動作させることにより実現できる。
【０１４９】
電池１９０は、通信システム１０を動作させるために用いられる。なお、通信システム１０は、外部から電源から供給を受けてもよい。
【０１５０】
（２）スマートデバイス
図１０を用いて、本実施形態に係るスマートデバイス２０のハードウェア構成について説明する。図１０は、本実施形態に係るスマートデバイス２０のハードウェア構成の一例を示す図である。
【０１５１】
スマートデバイス２０は、通信部２５０、ＷＬＡＮ通信部２５１、近距離無線通信部２５２、ディスプレイ２６０、タッチパネル２６１、ＣＰＵ２７０、ＲＯＭ２７１、ＲＡＭ２７２、ＥＥＰＲＯＭ２７３、メディアドライブ２７４、記録メディア２７５、及び電池２８０、を有する。スマートデバイス２０の各ハードウェアは、バスＢを介して相互に接続される。
【０１５２】
通信部２５０は、３Ｇ、及びＬＴＥ等の携帯電話の通信規格に準拠し、最寄りの携帯電話の基地局と通信する。
【０１５３】
ＷＬＡＮ通信部２５１は、ＩＥＥＥで規定されるＷＬＡＮの規格に準拠し、最寄りのＷＬＡＮ  ＡＰ、及びＷＬＡＮで通信可能な機器３０と通信する。
【０１５４】
近距離無線通信部２５２は、Ｂｌｕｅｔｏｏｔｈ、及びＢＬＥ（Ｂｌｕｅｔｏｏｔｈ  Ｌｏｗ  Ｅｎｅｒｇｙ）等の近距離無線通信の規格に準拠し、Ｂｌｕｅｔｏｏｔｈ等で通信可能な機器と通信する。
【０１５５】
ディスプレイ２６０は、画像、文書及び各種アイコン等を表示する液晶、又は有機ＥＬ等である。
【０１５６】
タッチパネル２６１は、ディスプレイ２６０上に載せられ、感圧式又は静電式のパネルによって構成され、指やタッチペン等によるタッチによってディスプレイ２６０上におけるタッチ位置を検出する。
【０１５７】
ＣＰＵ２７０は、スマートデバイス２０全体を制御する。ＲＯＭ２７１は、基本入出力プログラムを記憶している。ＲＡＭ２７２は、ＣＰＵ２７０のワークエリアとして使用される。ＥＥＰＲＯＭ２７３は、ＣＰＵ２７０の制御に従ってデータの読出し又は書込みを行う。
【０１５８】
メディアドライブ２７４は、フラッシュメモリ等の記録メディア２７５に対するデータの読出し又は書込みを制御する。メディアドライブ２７４は、記録メディア２７５を着脱可能な構成となっている。
【０１５９】
スマートデバイス２０の各機能は、ＣＰＵ２７０がＲＯＭ２７１に記憶されたプログラムを用いて、図１０に示す各ハードウェアを動作させることにより実現できる。
【０１６０】
電池２８０は、スマートデバイス２０を駆動するために用いられる。
【０１６１】
［第２実施形態］
次に、第２実施形態について説明する。第１実施形態と共通する部分については、説明を省略し、異なる部分について説明する。
【０１６２】
＜機能構成＞
（１）全体構成
図１１は、本実施形態に係る作業管理システム１の全体構成の一例を示す図である。
【０１６３】
作業管理システム１は、サーバ７０と、複数の通信装置６０（６０Ａ、６０Ｂ、６０Ｃ）と、複数のスマートデバイス２０（２０Ａ、２０Ｂ、２０Ｃ）と、機器３０（３０Ａ、３０Ｂ、３０Ｃ）とを有する。
【０１６４】
通信装置６０の各々は、近距離無線通信を用いて、無線エリア５０を形成する。通信装置６０は、自らが形成する無線エリア５０内に存在するスマートデバイス２０に、通信装置６０と通信するのに必要な情報を通知する。かかる情報は、近距離無線通信で通知される。かかる情報は、例えば、通信装置６０の識別子、及び接続のためのパスワード等を含む。スマートデバイス２０が通信装置６０とＷＬＡＮで接続する場合、通信装置６０の識別子はＳＳＩＤである。
【０１６５】
通信装置６０は、自らが形成する無線エリア５０内に存在するスマートデバイス２０から、かかるスマートデバイス２０の情報を取得する。
【０１６６】
通信装置６０は、取得したスマートデバイス２０の情報をサーバ７０に送信する。
【０１６７】
サーバ７０は、無線エリア５０を形成する１以上の通信装置６０と接続されている。サーバ７０は、１以上の通信装置６０のそれぞれからスマートデバイス２０の情報を受信する。サーバ７０は、受信したスマートデバイス２０の情報を記憶する。つまり、サーバ７０は、接続されている１以上の通信装置６０のそれぞれが形成する無線エリア５０に存在するスマートデバイス２０の情報を記憶する。
【０１６８】
操作端末５は、サーバ７０に、条件の入力を行う。条件は、作業現場に存在する作業者の数、機器３０を操作する資格を有する作業者の有無等に関するものである。かかる条件は、無線エリア５０毎に設定される。
【０１６９】
サーバ７０は、複数の無線エリア５０をまとめて管理してもよい。まとめられた複数の無線エリア５０は、無線エリアグループと呼ばれてもよい。
【０１７０】
例えば、図１１に示すように、サーバ７０は、無線エリア５０＃Ａと無線エリア５０＃Ｂとを有する無線エリアグループ＃Ｎを設定し、無線エリアグループ単位の管理を行ってもよい。
【０１７１】
例えば、ビル等の建設現場において、各階に無線エリア５０を形成した場合において、サーバ７０は、各階の無線エリア５０から成る無線エリアグループを設定してもよい。
【０１７２】
（２）機能構成
図１２を用いて、第２実施形態に係る通信装置６０、及びサーバ７０の機能構成について説明する。図１２は本実施形態に係る通信装置６０、及びサーバ７０の機能構成の一例を示す図である。
【０１７３】
本実施形態に係る作業管理システム１は、複数の通信装置６０と、サーバ７０とを有する。なお、サーバ７０は、情報処理装置の一例である。
【０１７４】
複数の通信装置６０のそれぞれは、近距離無線通信により無線エリアを形成する。
【０１７５】
複数の通信装置６０のそれぞれは、近距離無線通信部６００と、通信部６１０と、入出力部６２０と、制御部６３０とを有する。
【０１７６】
近距離無線通信部６００は、無線エリアに存在するスマートデバイス２０と、近距離無線通信で接続する。近距離無線通信部６００は、当該通信装置６０との接続に必要な情報を、スマートデバイス２０に、近距離無線通信で送信する。
【０１７７】
通信部６１０は、無線エリアに存在するスマートデバイス２０から、かかるスマートデバイス２０の情報を受信する。また、通信部６１０は、受信したスマートデバイス２０の情報をサーバ７０に送信する。
【０１７８】
なお、スマートデバイス２０は、近距離無線通信で、スマートデバイス２０の情報を送信してもよい。この場合、近距離無線通信部６００が、かかるスマートデバイス２０の情報を受信する。
【０１７９】
入出力部６２０は、通信装置６０に関するユーザからの各種設定の指示を受け付ける。入出力部６２０は、通信装置６０に関する各種表示を出力する。
【０１８０】
制御部６３０は、通信装置６０の各機能に対する制御を行う。
【０１８１】
サーバ７０は、通信部７１０と、記憶部７２０と、判断部７３０と、入出力部７４０と、制御部７５０とを有する。
【０１８２】
記憶部７２０は、複数の通信装置６０のそれぞれが形成する無線エリア５０に存在するスマートデバイス２０又は機器３０に通知を送信する条件を記憶する。かかる条件は、通知の内容、及び通知を送信するスマートデバイス２０又は機器３０を決定するための条件である。
【０１８３】
通信部７１０は、複数の通信装置６０のそれぞれからスマートデバイス２０の情報を受信する。
【０１８４】
判断部７３０は、受信したスマートデバイス２０の情報と記憶された条件とから、無線エリア５０のそれぞれにおいて、通知の内容、及び通知を送信するスマートデバイス２０又は機器３０を決定する。
【０１８５】
通信部７１０は、決定された通知を、通知の送信先に決定されたスマートデバイス２０又は機器３０に、通信装置６０の通信部６１０を介して送信する。
【０１８６】
記憶部７２０は、複数の通信装置６０のそれぞれから受信したスマートデバイス２０の情報を記憶する。
【０１８７】
なお、判断部７３０は、決定部の一例である。
【０１８８】
入出力部７４０は、サーバ７０に関するユーザからの各種設定の指示を受け付ける。入出力部７４０は、サーバ７０に関する各種表示を出力する。
【０１８９】
制御部７５０は、サーバ７０の各機能に対する制御を行う。
【０１９０】
判断部７３０は、複数の通信装置６０から受信したスマートデバイス２０の情報の少なくとも１つに、複数の通信装置６０により形成される複数の無線エリア５０のいずれかに存在する機器３０を使用することが可能である旨を含む場合、条件を満たすと判断してもよい。通信部７１０は、機器３０に、機器３０を起動するための通知を送信する。
【０１９１】
例えば、通信部７１０は、無線エリア５０Ａを形成する通信装置６０Ａと、無線エリア５０Ｂを形成する通信装置６０Ｂとから、無線エリア５０Ａ及び無線エリア５０Ｂに存在するスマートデバイス２０の情報を受信し、判断部７３０は、無線エリア５０Ａに存在するスマートデバイス２０の情報に、無線エリア５０Ｂに存在する機器３０を使用することが可能である旨が含まれていることを特定する。この場合、判断部７３０は、かかる条件を満たすと判断してもよい。具体的には、判断部７３０は、かかる条件を満たすと判断し、「機器３０を起動するための」通知と、通知の送信先である機器３０を決定する。通信部７１０は、機器３０を起動するための通知を送信する。
【０１９２】
上記のように制御する理由は、機器３０が存在する無線エリア５０に、機器３０を使用する資格を有する作業者がいない場合であっても、周辺の無線エリア５０に、かかる機器３０を使用する資格を有する作業者がいるときには、機器３０を起動しても安全管理上問題ないと判断できるためである。
【０１９３】
（３）記憶部で記憶する情報
図１３及び図１４を用いて記憶部７２０で記憶する情報について説明する。
【０１９４】
図１３は、第２実施形態に係る操作端末５に表示される表示の一例を示す図である。操作端末５は、図１３に示される条件をサーバ７０に入力する。記憶部７２０は、入力された条件を記憶する。
【０１９５】
条件に１以上の無線エリア５０を有する無線エリアグループに関する設定がされてもよい。
【０１９６】
図１３の例では、無線エリアグループの識別子に、「＃Ｎ」が設定されている。また、資格者の条件に、「無線エリアグループ＃Ｎ内に資格＃Ｂの保有者２名」が設定されている。
【０１９７】
この場合、サーバ７０は、無線エリアグループ内で、資格者が所定の人数以上、存在するか否かを判断する。その他の項目については、図３と同じであるため説明は省略する。
【０１９８】
図１４は、サーバ７０が、接続している通信装置６０のそれぞれから受信するスマートデバイス２０の情報の一例を示す図である。記憶部７２０は、受信したスマートデバイス２０の情報を記憶する。
【０１９９】
図１４に示す例では、スマートデバイス２０の情報は、通信装置６０の識別子と、無線エリア５０の識別子と共に記憶される。
【０２００】
記憶部７２０は、無線エリア５０に存在するスマートデバイス２０の情報を、無線エリアグループと対応付けて記憶してもよい。
【０２０１】
図１４に示す例では、無線エリア５０の識別子ＡＰ＃１乃至ＡＰ＃Ｍに存在するスマートデバイス２０が、無線エリアグループ＃Ｎに対応付けられて記憶されている。
【０２０２】
その他の項目については、図４と同じであるため説明は省略する。
【０２０３】
＜動作手順＞
図１５を用いて本実施形態に係る動作手順について説明する。
【０２０４】
ステップＳ１５０１で、操作端末５はサーバ７０に条件を入力する。
【０２０５】
ステップＳ１５０２で、サーバ７０の記憶部７２０は入力された条件を記憶する。
【０２０６】
ステップＳ１５０３乃至ステップＳ１５０５の手順は、ステップＳ５０３乃至ステップＳ５０５と同様である。スマートデバイス２０と通信システム１０との間で実施される手順が、スマートデバイス２０と通信装置６０との間で実施される。
【０２０７】
ステップＳ１５０６で、通信装置６０の通信部６１０は、サーバ７０にスマートデバイス２０の情報を通知する。かかる情報には、スマートデバイス２０の識別子、及び資格情報等を含む。通信部７１０は、記憶部７２０に、受信したスマートデバイス２０の情報を通知する。
【０２０８】
ステップＳ１５０７乃至ステップＳ１５０９は、ステップＳ５０７乃至ステップ５０９と同様である。通信システム１０内の各機能で実行された処理が、サーバ７０内の各機能で実行される。
【０２０９】
ステップＳ１５１０で、判断部７３０は、条件を満たすか否かの判断を行う。かかる判断のときに、無線エリアグループ内の条件を基に判断をする場合は、複数の無線エリア５０に存在するスマートデバイス２０の情報を参照して、条件を満たすか否かを判断する。
【０２１０】
ステップＳ１５１１乃至ステップＳ１５１５の手順は、ステップＳ５１１乃至ステップＳ１５１５の手順と同様である。図５で、これらの手順は、スマートデバイス２０及び機器３０と、通信システム１０との間で実行される。図１５で、これらの手順は、スマートデバイス２０及び機器３０と、サーバ７０との間で、通信装置６０を介して実行される。
【０２１１】
なお、操作端末５は、無線エリアグループ毎の作業条件をサーバ７０に設定してもよい。例えば、操作端末５は、「無線エリアグループ＃Ｎ内の人数を５０人以上、１００人以下」といった条件を設定してもよい。
【０２１２】
［第３実施形態］
次に、第３実施形態について説明する。第１及び第２実施形態と共通する部分については、説明を省略し、異なる部分について説明する。
【０２１３】
＜機能構成＞
（１）全体構成
図１６及び図１７を用いて、本実施形態に係る作業管理システム１の全体構成について説明する。
【０２１４】
本実施形態に係る作業管理システム１は、図１６に示すようにマスタースマートデバイス８０と、スマートデバイス２０と、機器３０とを有する。
【０２１５】
図１７は、マスタースマートデバイス８０の機能構成図である。マスタースマートデバイス８０は、第１実施形態における通信システム１０、操作端末５、及びスマートデバイス２０の機能を有する端末である。マスタースマートデバイス８０は、記憶部８００、近距離無線通信部８１０、通信部８２０、判断部８３０、入出力部８４０、及び制御部８５０を有する。
【０２１６】
マスタースマートデバイス８０は、近距離無線通信の無線エリア５０を形成する。
【０２１７】
記憶部８００は、無線エリアに存在するスマートデバイス２０又は機器３０に通知を送信する条件を記憶する。かかる条件は、通知の内容、及び通知を送信するスマートデバイス２０又は機器３０を決定するための条件である。
【０２１８】
マスタースマートデバイス８０は、現場の管理者が携帯することが想定される。マスタースマートデバイス８０は、管理者からの条件の入力を受け付け、かかる条件を記憶する。
【０２１９】
マスタースマートデバイス８０は、形成した無線エリア５０内に存在するスマートデバイス２０と通信を行う。
【０２２０】
近距離無線通信部８１０は、近距離無線通信で、マスタースマートデバイス８０と接続する。近距離無線通信部８１０は、マスタースマートデバイス８０と通信するために必要な情報を、無線エリア５０内のスマートデバイス２０に通知する。
【０２２１】
スマートデバイス２０は、マスタースマートデバイス８０に、スマートデバイス２０の情報を通知する。通信部８２０は、かかる通知を受信する。なお、スマートデバイス２０の情報は、近距離無線通信で送信されてもよい。この場合、近距離無線通信部８１０が、スマートデバイス２０の情報を受信する。
【０２２２】
判断部８３０は、受信したスマートデバイス２０の情報及びマスタースマートデバイス８０の情報と、記憶された条件とによって、通知の内容、及び通知を送信するスマートデバイス２０又は機器３０を決定する。
【０２２３】
通信部８２０は、決定された通知を、通知の送信先に決定されたスマートデバイス２０又は機器３０に送信する。
【０２２４】
ここで、判断部８３０は、決定部の一例である。
【０２２５】
なお、記憶部８００は、通知されたスマートデバイス２０の情報を記憶してもよい。
【０２２６】
入出力部８４０は、マスタースマートデバイス８０に関するユーザからの各種設定の指示を受け付ける。入出力部８４０は、マスタースマートデバイス８０に関する各種表示を出力する。制御部８５０は、マスタースマートデバイス８０の各機能に対する制御を行う。
【０２２７】
判断部８３０が作業可能であると決定した場合、通信部８２０は、スマートデバイス２０に、作業を許可する旨の通知を送信してもよい。また、判断部８３０が無線エリア５０内の機器３０を使用することが可能であると決定した場合、通信部８２０は、無線エリア５０内に存在する機器３０を起動するための通知を送信してもよい。
【０２２８】
判断部８３０が作業できないと決定した場合、通信部８２０は、スマートデバイス２０に、作業を実施できない旨の通知を送信してもよい。判断部８３０８０が無線エリア５０内の機器３０を使用不能であると決定した場合、通信部８２０は、無線エリア５０内に存在する機器３０を停止するための通知を送信してもよい。
【０２２９】
また、マスタースマートデバイス８０を操作する管理者は、マスタースマートデバイス８０が記憶しているスマートデバイス２０の情報を参照して、条件を決定してもよい。これにより、管理者は現場の状況を確認しつつ、柔軟に条件を設定することができる。
【０２３０】
［第４実施形態］
次に、図１８乃至図２１を用いて第４実施形態について説明する。第１乃至第３実施形態と共通する部分については、説明を省略し、異なる部分についてのみ説明する。
【０２３１】
＜機能構成＞
（１）全体構成
図１８に、本実施形態に係る作業管理システム１の全体構成の一例を示す。
【０２３２】
作業管理システム１では、同一の無線エリア５０内のスマートデバイス２０が相互に自動的に接続することにより、同一の無線エリア５０内のスマートデバイス２０間で通信可能とする。
【０２３３】
作業管理システム１は、サーバ７０、通信装置６０、及びスマートデバイス２０を有する。
【０２３４】
通信装置６０は、近距離無線通信を用いて無線エリア５０を形成する。通信装置６０は、近距離無線通信で、無線エリア５０内のスマートデバイス２０に通信装置６０と接続するために必要な情報を通知する。
【０２３５】
スマートデバイス２０は、かかる情報を受信し、通信装置６０と接続する。スマートデバイス２０は、通信装置６０に、スマートデバイス２０の情報を通知する。スマートデバイス２０の情報とは、例えば、スマートデバイス２０の識別子とスマートデバイス２０の属性である。属性には、「親」、又は「子」が設定される。
【０２３６】
通信装置６０は、受信したスマートデバイス２０の情報をサーバ７０に送信する。
【０２３７】
サーバ７０は、受信したスマートデバイス２０の情報を記憶する。
【０２３８】
図１９は、サーバ７０で記憶するスマートデバイス２０の情報の一例を示す図である。
【０２３９】
無線エリア５０の識別子と、スマートデバイス２０の識別子と、スマートデバイス２０の属性とが対応付けられて記憶される。
【０２４０】
また、サーバ７０は、かかるスマートデバイス２０が存在する無線エリア５０において、スマートデバイス２０が接続するスマートデバイス２０を決定する。サーバ７０は、かかる決定を、通信装置６０を介してスマートデバイス２０に通知する。
【０２４１】
具体的には、サーバ７０は、「子」の属性を有するスマートデバイス２０が接続する「親」の属性を有するスマートデバイス２０を決定する。サーバ７０は、「子」の属性を有するスマートデバイス２０に「親」と接続するための情報を通知し、「親」のスマートデバイス２０と接続することを指示する。また、サーバ７０は、「親」の属性を有するスマートデバイス２０に、「子」と接続するための情報を通知し、「子」のスマートデバイス２０と接続することを指示する。
【０２４２】
これにより、同一の無線エリア５０内に存在する、スマートデバイス２０同士は、接続を確立することができる。かかる接続は、スマートデバイス２０間で、直接確立されてもよいし、通信装置６０を介して確立されてもよい。
【０２４３】
本実施形態の作業管理システム１によれば、スマートデバイス２０間で、個別に接続の設定をすることなく、スマートデバイス２０間の接続を確立することができる。
【０２４４】
＜動作手順＞
図２０、及び図２１を用いて本実施形態に係る動作手順について説明する。
【０２４５】
図２０は、無線エリア５０内に新たなスマートデバイス２０が入った場合の、サーバ７０の動作を示すフローチャートである。
【０２４６】
ステップＳ１９０１で、サーバ７０が、無線エリア５０内に、新たにスマートデバイス２０が入った旨の通知を通信装置６０から受信する。
【０２４７】
ステップＳ１９０２で、サーバ７０は、スマートデバイス２０の属性が「親」であるか確認する。属性が「親」の場合（ステップＳ１９０２  Ｙｅｓ）、ステップＳ１９０５に進む。一方、属性が「親」でない場合（ステップＳ１９０２  Ｎｏ）、ステップＳ１９０３に進む。
【０２４８】
まず、属性が「親」でない場合について説明する。
【０２４９】
ステップＳ１９０３で、サーバ７０は、スマートデバイス２０の属性が「子」であるか確認する。属性が「子」の場合（ステップＳ１９０３  Ｙｅｓ）、ステップＳ１９０９に進む。一方、属性が「子」でない場合（ステップＳ１９０３  Ｎｏ）、ステップＳ１９０４に進む。
【０２５０】
ステップＳ１９０４で、サーバ７０は、スマートデバイス２０にエラーを通知する。かかるエラーは、属性に「親」、又は「子」を設定するように促すメッセージを含む。
【０２５１】
ステップＳ１９０９で、サーバ７０は、同一の無線エリア５０内に「親」のスマートデバイス２０が存在するか確認する。「親」のスマートデバイス２０が存在する場合（ステップＳ１９０９  Ｙｅｓ）、ステップＳ１９１０に進む。一方、「親」のスマートデバイス２０が存在しない場合（ステップＳ１９０９  Ｎｏ）、ステップＳ１９１１に進む。
【０２５２】
ステップＳ１９１０で、サーバ７０は、新たに無線エリア５０に入ったスマートデバイス２０に、「親」のスマートデバイス２０と接続することを指示する。また、サーバ７０は、「親」のスマートデバイス２０との接続に必要な情報を、新たに無線エリア５０に入ったスマートデバイス２０に通知する。
【０２５３】
ステップＳ１９１１で、サーバ７０は、新たに無線エリア５０に入ったスマートデバイス２０の情報を記憶する。
【０２５４】
次に、属性が「親」の場合について説明する。
【０２５５】
ステップＳ１９０５で、サーバ７０は、同一の無線エリア５０内に、属性が「親」のスマートデバイス２０が存在するか否かを判断する。
【０２５６】
同一の無線エリア５０内に、属性が「親」のスマートデバイス２０が存在する場合（ステップＳ１９０５  Ｙｅｓ）、ステップＳ１９０６に進む。一方、属性が「親」のスマートデバイス２０が存在しない場合（ステップＳ１９０５  Ｎｏ）、ステップＳ１９０７に進む。
【０２５７】
ステップＳ１９０６で、サーバ７０は、スマートデバイス２０にエラーを通知する。かかる、エラーは、属性に「子」を設定するように促すメッセージを含む。
【０２５８】
ステップＳ１９０７で、サーバ７０は、同一の無線エリア５０内に、属性が「子」のスマートデバイス２０が存在するか否かを判断する。
【０２５９】
同一の無線エリア５０内に、属性が「子」のスマートデバイス２０が存在する場合（ステップＳ１９０７  Ｙｅｓ）、ステップＳ１９０８に進む。一方、同一の無線エリア５０内に、属性が「子」のスマートデバイス２０が存在しない場合、ステップＳ１９１１に進む。
【０２６０】
ステップＳ１９０８で、サーバ７０は、新たに無線エリア５０に入ったスマートデバイス２０に対して、同一の無線エリア５０内の属性が「子」のスマートデバイス２０と接続することを指示する。その後、ステップＳ１９１１の処理を行う。
【０２６１】
図２１は、無線エリア５０からスマートデバイス２０が出た場合の、サーバ７０の動作を示すフローチャートである。
【０２６２】
ステップＳ２００１で、サーバ７０は、無線エリア５０にスマートデバイス２０Ａが存在しないことを認識する。具体的には、通信装置６０が、無線エリア５０内にスマートデバイス２０Ａが存在しないことを検知し、サーバ７０が、その旨の通知を受信する。
【０２６３】
ステップＳ２００２で、サーバ７０は、スマートデバイス２０Ａの情報を記憶しているか確認する。記憶している場合は（ステップＳ２００２  Ｙｅｓ）、ステップＳ２００３に進む。一方、記憶していない場合は、処理を終了する。
【０２６４】
ステップＳ２００３で、サーバ７０は、スマートデバイス２０Ａの属性が「親」であるか確認する。属性が「親」である場合（ステップＳ２００３  Ｙｅｓ）、ステップＳ２００４に進む。一方、属性が「親」でない場合（ステップＳ２００３  Ｎｏ）、ステップＳ２００５に進む。
【０２６５】
ステップＳ２００４で、サーバ７０は、無線エリア５０に存在する全てのスマートデバイス２０に対して、接続を解放することを指示する。既に、属性が「親」のスマートデバイス２０Ａが無線エリア５０内に存在しないため、接続を維持する必要がないためである。ステップＳ２００４の処理の後に、ステップＳ２００７に進む。
【０２６６】
ステップＳ２００５で、サーバ７０は、スマートデバイス２０Ａの属性が「子」であるか確認する。属性が「子」である場合（ステップＳ２００５  Ｙｅｓ）、ステップＳ２００６に進む。一方、属性が「子」でない場合（ステップＳ２００５  Ｎｏ）、処理を終了する。
【０２６７】
ステップＳ２００６で、サーバ７０は、無線エリア５０内の属性が「親」のスマートデバイス２０に対して、スマートデバイス２０Ａとの接続を解放することを指示する。無線エリア５０内に存在しないスマートデバイス２０との間の接続を維持する必要がないためである。
【０２６８】
ステップＳ２００７で、サーバ７０は、記憶しているスマートデバイス２０Ａの情報を削除する。
【０２６９】
なお、スマートデバイス２０とサーバ７０間の信号の送受信は、通信装置６０を介して行われる。
【０２７０】
［その他］
上述した実施形態では、ＢＬＥ等の近距離無線通信を用いる場合について説明したが、ＮＦＣ（Ｎｅａｒ  Ｆｉｅｌｄ  Ｃｏｍｍｕｎｉｃａｔｉｏｎ）を用いてもよい。この場合、作業者がＮＦＣ機能を有するスマートデバイス２０を、通信システム１０に近接させ、スマートデバイス２０の情報を読み取らせる。
【０２７１】
上述した実施の形態の機能を実現するソフトウェアのプログラムコードを記録した記憶媒体を、通信システム１０、通信装置６０、及びサーバ７０に供給してもよい。そして、通信システム１０、通信装置６０、及びサーバ７０が記憶媒体に格納されたプログラムコードを読み出し実行することによっても、上述の実施形態が、達成されることは言うまでもない。この場合、記憶媒体から読み出されたプログラムコード自体が前述した実施形態の機能を実現することになり、そのプログラムコードを記憶した記憶媒体は、いずれかの実施の形態を構成することになる。ここで、記憶媒体は、記録媒体または非一時的な記憶媒体である。
【０２７２】
また、コンピュータ装置が読み出したプログラムコードを実行することにより、前述した実施形態の機能が実現されるだけではない。そのプログラムコードの指示に従って、コンピュータ装置上で動作しているオペレーティングシステム（ＯＳ）等が実際の処理の一部または全部を行ってもよい。さらに、その処理によって前述した実施形態の機能が実現されてもよいことは言うまでもない。
【０２７３】
以上、本発明の好ましい実施形態について説明したが、本発明はこうした実施形態に限定されるものではなく、本発明の要旨を逸脱しない範囲内において種々の変形及び置換を加えることができる。
【符号の説明】
【０２７４】
１  作業管理システム
５  操作端末
１０  通信システム
２０  スマートデバイス
３０  機器
５０  無線エリア
６０  通信装置
７０  サーバ
８０  マスタースマートデバイス
１００  近距離無線通信部（通信システム）
１１０  通信部（通信システム）
１２０  記憶部（通信システム）
１３０  判断部（通信システム）
２００  近距離無線通信部（スマートデバイス）
２１０  通信部（スマートデバイス）
６００  近距離無線通信部（通信装置）
６１０  通信部（通信装置）
７１０  通信部（サーバ）
７２０  記憶部（サーバ）
７３０  判断部（サーバ）
８００  記憶部（マスタースマートデバイス）
８１０  近距離無線通信部（マスタースマートデバイス）
８２０  通信部（マスタースマートデバイス）
８３０  判断部（マスタースマートデバイス）
【先行技術文献】
【特許文献】
【０２７５】
【特許文献１】特開２００５−２９３３２９号公報
【図１】
2017033364.tif 000003
【図２】
2017033364.tif 000004
【図３】
2017033364.tif 000005
【図４】
2017033364.tif 000006
【図５】
2017033364.tif 000007
【図６】
2017033364.tif 000008
【図７】
2017033364.tif 000009
【図８】
2017033364.tif 000010
【図９】
2017033364.tif 000011
【図１０】
2017033364.tif 000012
【図１１】
2017033364.tif 000013
【図１２】
2017033364.tif 000014
【図１３】
2017033364.tif 000015
【図１４】
2017033364.tif 000016
【図１５】
2017033364.tif 000017
【図１６】
2017033364.tif 000018
【図１７】
2017033364.tif 000019
【図１８】
2017033364.tif 000020
【図１９】
2017033364.tif 000021
【図２０】
2017033364.tif 000022
【図２１】
2017033364.tif 000023